(57)【要約】【課題】本発明は、後面側に設けられたコネクタを、複数方向から導入される電源線と接続可能な構成として、その壁面へのレイアウトが制限されることのない壁パネル装置を提案することを目的とする。【解決手段】壁パネル装置１は、壁パネル本体１０に内蔵された電気機器１１に電源供給するために、電気機器１１と接続された内部配線１１に電源線２１を電気的に接続するコネクタ１３を備える。そして、このコネクタ１３は、少なくともその左右に、壁パネル本体１０内部に導入された電源線２１が挿入される電源接続口を有する。これにより、壁面を構成するための間柱の位置に影響されることなく、電気機器１１への電源供給を行うための配線施工を行うことができる。よって、壁パネル装置１のレイアウトを自由に設定できる。【選択図】図１
2010130759.tif 000002
【特許請求の範囲】
【請求項１】
前面に化粧面を有するとともに後面側を屋内の壁面に沿わせて設置される壁パネル本体と、
該壁パネル本体に組み込まれる電気機器と、
前記壁パネル本体内部に埋設され、電気機器と電気的に接続される内部配線と、
前記壁面側で配線された電源線と接続する入力側端子と、前記内部配線と接続する出力側端子とを有し、該入力側端子及び該出力側端子それぞれに接続された前記電源線及び前記内部配線を電気的に接続させるとともに、前記化粧面で隠蔽されて前記壁パネル本体に組み込まれたコネクタと、
を備え、
前記コネクタは、前記入力側端子が設置されるとともに前記電源線が挿入される電源接続口を２以上有して、異なる方向から前記電源線が接続可能な構成としていることを特徴とする壁パネル装置。
【請求項２】
請求項１において、
前記コネクタは、前記壁パネル本体の横幅方向に沿った左右反対側それぞれに配置された２つの前記電源接続口を少なくとも有していることを特徴とする壁パネル装置。
【請求項３】
請求項２において、
前記コネクタの左右に配置される２つの前記電源接続口の間隔が、前記壁面における間柱の横寸法よりも大きいことを特徴とする壁パネル装置。
【請求項４】
請求項２又は請求項３において、
前記コネクタが前記壁パネル本体内部に埋設されるとともに、
前記壁パネル本体の後面に、前記コネクタの左右に配置される２つの前記電源接続口と連通する２つの配線孔が設けられ、
２つの該配線孔の間隔が、前記壁面における間柱の横寸法よりも大きいことを特徴とする壁パネル装置。
【発明の詳細な説明】
【技術分野】
【０００１】
本発明は、屋内の壁面に沿わせて設置される壁パネル装置に関するもので、特に、電熱器、照明器、消臭器などの電気機器が組み込まれた壁パネル装置に関するものである。
【背景技術】
【０００２】
従来より、電気式のヒータ（電熱器）や照明器などの電気機器が組み込まれた壁パネル装置として、屋内の既設の内装壁に沿わせるように設置して用いられるものがある（特許文献１参照）。このような電気機器が組み込まれた壁パネル装置は、その壁パネル本体内部で電気機器への内部配線が成されて、外部電源からの電力供給を行う電源線を内部配線に接続させる電源接続部が設けられる。この電源接続部は、壁パネル本体において目立たない位置となる、前面周辺部や周端部に設けられることが一般的であった。
【特許文献１】特開平０８−１６６１３４号公報
【発明の開示】
【発明が解決しようとする課題】
【０００３】
このような壁パネル装置は前面を化粧面としていることが通常であるため、その意匠性が重要な要素の１つであることから、電源接続部に接続される電源線などが露出することは外観上好ましくない。そこで、電源接続部となるコネクタを壁パネル本体の後面側に設けるとともに、既設の壁面側から電源線をコネクタに接続することが考えられる。このように壁パネル装置を構成することで、化粧面となる前面への電源線や電源接続部の露出を防いだ状態で、組み込まれた電気機器への給電のための配線ができる。
【０００４】
しかしながら、施工現場によって壁面内部にある間柱などの位置関係は様々であり、壁パネル装置を設置する位置によっては、壁パネル装置内に設置したコネクタが、壁面内部の間柱と重なってしまう場合がある。このように、コネクタが間柱の干渉を受ける位置に配置されてしまう場合、従来は、壁面側からの電源線をコネクタに接続することが不可能となっていた。そのため、壁パネル本体の後面側にコネクタが設けられた壁パネル装置は、壁内部との間柱などの設置位置に応じて敷設する必要があるため、そのレイアウトが制限されてしまう。
【０００５】
このような問題を鑑みて、本発明は、壁パネル本体の後面側に設けられたコネクタを、複数方向から導入される電源線と接続可能な構成として、その壁面へのレイアウトが制限されることのない壁パネル装置を提案することを目的とする。
【課題を解決するための手段】
【０００６】
上記目的を達成するために、本発明の壁パネル装置は、前面に化粧面を有するとともに後面側を屋内の壁面に沿わせて設置される壁パネル本体と、該壁パネル本体に組み込まれる電気機器と、前記壁パネル本体内部に埋設され、電気機器と電気的に接続される内部配線と、前記壁面側で配線された電源線と接続する入力側端子と、前記内部配線と接続する出力側端子とを有し、該入力側端子及び該出力側端子それぞれに接続された前記電源線及び前記内部配線を電気的に接続させるとともに、前記化粧面で隠蔽されて前記壁パネル本体に組み込まれたコネクタと、を備え、前記コネクタは、前記入力側端子が設置されるとともに前記電源線が挿入される電源接続口を２以上有して、異なる方向から前記電源線が接続可能な構成としていることを特徴とする。
【０００７】
このような壁パネル装置において、前記コネクタは、前記壁パネル本体の横幅方向に沿った左右反対側それぞれに配置された２つの前記電源接続口を少なくとも有している。このとき、前記コネクタの左右に配置される２つの前記電源接続口の間隔は、前記壁面における間柱の横寸法よりも大きいことが好ましい。
【０００８】
又、前記コネクタが前記壁パネル本体内部に埋設されるとともに、前記壁パネル本体の後面に、前記コネクタの左右に配置される２つの前記電源接続口と連通する２つの配線孔が設けられ、２つの該配線孔の間隔が、前記壁面における間柱の横寸法よりも大きいものとしてもよい。
【発明の効果】
【０００９】
本発明によると、コネクタを、２以上の電源接続口が設けられて、異なる方向から電源線が接続される構成としたことにより、壁パネル装置を設置したときに、壁面の構造物との干渉のない位置に、少なくとも１つの電源接続口を配置できる。又、内部配線が壁パネル本体内に埋設されるとともに、コネクタが化粧面で隠蔽されているため、壁パネル本体の後面側からコネクタに接続される電源線をも、化粧面で隠蔽することができる。更に、コネクタの左右に配置される２つの電源接続口の間隔を、壁面を固定するために必須となる間柱の横寸法よりも広いものとすることで、電源線をコネクタに接続する際に間柱との干渉を避けることができる。
【発明を実施するための最良の形態】
【００１０】
本発明の実施の形態について、図面を参照して以下に説明する。図１は、本実施形態の壁パネル装置の構成を示す概略正面図であり、図中の点線によって、壁パネル本体内部に設置される各構成部品を示す。図２は、図１の壁パネル装置の構成を示す断面図であり、図３は、図１の壁パネル装置内のコネクタの構成を示す概略断面図である。
【００１１】
本実施形態の壁パネル装置１は、図１に示すように、壁面に沿って立設される壁パネル本体１０と、壁パネル本体１０に内蔵された電気機器１１と、電気機器１１と結線されるとともに壁パネル本体１０内部に埋設される内部配線１２と、商用電源から電源供給する給電路となる電源線２１と内部配線１２とを電気的に接続させるコネクタ１３とによって、構成される。尚、本実施形態における壁パネル装置１は、電気機器１１を具備した機能性のパネル装置であればよく、電気機器１１を面状ヒータとするヒータ機能を備えたものとしてもよいし、電気機器１１を照明器とする照明機能を備えたものとしてもよい。又、電気機器１１が、スピーカやディスプレイであってもよいし、脱臭のためのプラズマ発生器で構成してもよい。
【００１２】
この壁パネル装置１における壁パネル本体１０は、図２に示すように、その前面を覆う化粧板となる表面板１４と、壁面２を構成する壁面材２０に当接する後面側の背面板１５と、表面板１４と背面板１５との間に空間を形成するために表面板１４と背面板１５の双方に接続する枠材１６とによって、構成される。即ち、表面板１４及び背面板１５それぞれの両端辺側に２本の枠材１６が設置されることで、表面板１４及び背面板１５に挟まれた空間が形成され、この空間内に、図１の点線で示す電気機器１１、内部配線１２、及びコネクタ１３が設置される。これにより、壁パネル装置１に組み込まれる電気機器１１、内部配線１２、及びコネクタ１３は、表面板１４によって前面側から隠蔽された状態となる。尚、電気機器１１を照明器やディスプレイなどとする場合は、電気機器１１の表面部分が表面板１４より露出するような構成となる。
【００１３】
そして、壁パネル本体１０の一部となる背面板１５には、電源線２１が壁面２側から挿入される２つの配線孔１７，１８が、壁パネル本体１０の幅方向に沿って、コネクタ１３の左右両側となる位置に形成される。又、壁面２は、床面に対して立設された間柱２２に固定された板材となる壁面材２０によって構成される。そして、壁面２の壁面材２０には、壁面２の内側（間柱２２の設置側）から電源線２１を室内側（壁パネル装置１の設置側）に引き込むための配線引き出し孔２３が、壁パネル装置１の配線孔１７，１８のいずれかに近い位置に施工される。尚、図２の構成では、壁パネル装置１の配線孔１８が間柱２２と重なる位置となるため、壁面２の壁面材２０における配線孔１７の近傍位置に、配線引き出し孔２３が形成される。そして、１枚の壁パネル装置１に対して、１つの配線引き出し孔２３が、壁面材２０に施工される。よって、壁面２に沿ってｎ枚（ｎは自然数）の壁パネル装置１が設置される場合、壁面材２０には、ｎ個の配線引き出し孔２３が施工される。
【００１４】
コネクタ１３は、図３の概略断面図に示すように、電源線２１が挿入される電源接続口３２，３３を左右の側面に備えた筐体３１によって構成され、この筐体３１の上端面に、内部配線１２が挿入される配線接続口３４を備える。又、コネクタ１３は、電源接続口３２，３３のそれぞれから挿入された電源線２１が接続される入力側端子３５，３６と、配線接続口３２から挿入された内部配線１２が接続される出力側端子３７と、入力側端子３５，３６間の接続する電路３８と、電路３８から分岐して出力側端子３７と接続された電路３９とを、筐体３１内に具備する。即ち、壁パネル本体１０の幅方向に沿って、コネクタ１３の左側に、配線孔１７と連通する電源接続口３２が、入力側端子３５と共に設けられる一方で、コネクタ１３の右側に、配線孔１８と連通する電源接続口３３が、入力側端子３６と共に設けられる。
【００１５】
このように構成されるコネクタ１３は、配線孔１７より電源線２１が挿入される場合、電源線２１が電源接続口３２に挿入される。これにより、入力側端子３５に電源線２１が接続されるため、電源線２１を通じて供給される電源は、入力側端子３５及び電路３８，３９を介して、配線接続口３４より挿入されて出力側端子３７に接続された内部配線１２に供給される。一方、配線孔１８より電源線２１が挿入される場合は、電源線２１が電源接続口３３に挿入されて、入力側端子３６に電源線２１が接続される。そのため、電源線２１からの電源は、入力側端子３６及び電路３８，３９を介して、出力側端子３７に接続された内部配線１２に供給される。
【００１６】
そして、配線孔１７，１８の設置間隔は、配線孔１７の左端から配線孔１８の右端までの距離Ｄが、間柱２２の幅寸法よりも広くなるような間隔に設定される。これにより、配線孔１７，１８のいずれかが間柱２２と重なる位置に位置した場合であっても、間柱２２と重なっていない配線孔１８，１７を利用して、電源線２１を壁パネル本体１０内部に導入できる。このとき、コネクタ１３の左右の幅寸法が間柱２２の幅寸法よりも大きく、コネクタ１３の左右に設けられた電源接続口３２，３３の設置間隔が、間柱２２の幅寸法よりも広くなるようにしてもよい。
【００１７】
尚、コネクタ１３は、その左右に電源接続口３２，３３を設けた構成としたが、その下端側にも、電路３５より分岐した電路の端部に構成される入力側端子を備えた電源接続口を更に設けた構成としてもよい。又、電源接続口３２，３３それぞれを、コネクタ１３の下端側の左右となる位置に構成されるものとしてもよい。そして、背面板１５において、コネクタ１３の下端に設けられた電源接続口３２，３３それぞれの直下に、電源接続口３２，３３それぞれと連通する配線孔１７，１８それぞれが設けられる。このとき、コネクタ１３の下端側の左右それぞれに設置される電源接続口３２，３３の間隔を、間柱２２の幅寸法よりも広くなるようにすることが好ましい。これにより、電源接続口３２，３３それぞれの直下に設けられる配線孔１７，１８の間隔をも、間柱２２の幅寸法よりも広くできる。又、電源接続口３２，３３が、コネクタ１３の背面板１５と対向する面に設けられて、配線孔１７，１８と重なるようにして連通するものとしてもよい。
【００１８】
更に、電源接続口３２，３３それぞれについて、プラグ又はジャックなどによる接栓構造としてもよい。このように構成することで、電源接続口３２，３３のいずれかに電源線２１を挿入するだけで、電源線２１を簡単に入力側端子３５，３６のいずれかに接続することができる。即ち、壁パネル装置１を施工する際に、壁面材２０の配線引き出し孔２３から引き出された電源線２１を、背面板１５の配線孔１７（１８）から壁パネル本体１０内部に導入すると、電源接続口３２（３３）のいずれかに挿入して、簡単に、その入力側端子３５（３６）に接続できる（尚、配線孔１８に電源線２１が挿入された場合に対応する符号を、括弧内に示す）。又、出力側端子３７を備える配線接続口３４についても、プラグ又はジャックなどによる接栓構造としてもよいし、半田接続等のように内部配線１２が直接出力側端子３７と接続された構造としてもよい。
【００１９】
このように構成される壁パネル装置１の施工について、図４及び図５を参照して以下に説明する。尚、図４は、壁パネル装置の施工前における壁面の構成を示す概略図であり、図６は、壁パネル装置の施工後における壁面の構成を示す概略図である。そして、図４及び図５のそれぞれにおいて、間柱を一点鎖線で図示するとともに、図５において、コネクタ及び配線孔それぞれを点線で図示する。
【００２０】
図４に示すように、床面に対して立設される間柱２２が等間隔に施工され、壁面材２０は、複数の間柱２２で支持されるように固定され、床面に対して立設した状態で施工される。そして、壁面材２０には、図５に示すように配置される複数の壁パネル装置１それぞれに対応する位置に、配線引き出し孔２３が形成される。この配線引き出し孔２３は、図５に示すように配置される複数の壁パネル装置１における配線孔１７，１８のいずれかに対応した位置に形成されるものであり、図４に示すように、間柱２２と重ならない位置に形成される。
【００２１】
図４に示すように、間柱２２によって支持された壁面材２０に配線引き出し孔２３が設けられると、壁面２の内側（間柱２２の設置側）から電源線２１を室内に引き込む。そして、この壁面２に沿うように、複数の壁パネル装置１が並設される。このとき、壁パネル装置１は、壁面材２０に背面板１５が当接するように固定されるとともに、その背面板１５の配線孔１７，１８のいずれかが壁面材２０の配線引き出し孔２３と重なるように、設置される。そして、配線孔１７が配線引き出し孔２３と重なるように設置された壁パネル装置１については、配線孔１７より壁パネル本体１０内部に電源線２１が挿入されて、コネクタ１３に接続される。一方、配線孔１８が配線引き出し孔２３と重なるように設置された壁パネル装置１については、配線孔１８より壁パネル本体１０内部に電源線２１が挿入されて、コネクタ１３に接続される。
【００２２】
このように壁パネル装置１を設置することによって、配線孔１８の位置が間柱２２と重なる位置となる壁パネル装置１については、配線孔１７を利用して電源線２１を壁パネル本体１０内のコネクタ１３まで導入できる。一方、配線孔１７の位置が間柱２２と重なる位置となる壁パネル装置１については、配線孔１８を利用して電源線２１を壁パネル本体１０内のコネクタ１３まで導入できる。よって、電源線２１を壁パネル装置１内のコネクタ１３に接続する際の間柱２２による干渉がなく、壁パネル装置１のレイアウトが制限されることがなくなるので、壁面２に対する壁パネル装置１のレイアウトを自由に設定できる。
【産業上の利用可能性】
【００２３】
本発明は、電熱器、照明器、消臭器、スピーカ、ディスプレイなどの電気機器が、その壁パネル本体に組み込まれた壁パネル装置に適用できる。
【図面の簡単な説明】
【００２４】
【図１】は、本発明の実施形態の壁パネル装置の構成を示す概略正面図である。
【図２】は、図１の壁パネル装置の構成を示す概略断面図である。
【図３】は、図１の壁パネル装置内のコネクタの構成を示す概略断面図である。
【図４】は、図１の壁パネル装置の施工前の壁面の状態を示す図である。
【図５】は、図１の壁パネル装置の施工後の壁面の状態を示す図である。
【符号の説明】
【００２５】
１                  壁パネル装置
２                  壁面
１０                壁パネル本体
１１                電気機器
１２                内部配線
１３                コネクタ
１４                表面板
１５                背面板
１６                枠材
１７，１８          配線孔
２０                壁面材
２１                電源線
２２                間柱
２３                配線引き出し孔
３１                筐体
３２，３３          電源接続口
３４                配線接続口
３５，３６          入力側端子
３７                出力側端子
３８，３９          電路
【図１】
2010130759.tif 000003
【図２】
2010130759.tif 000004
【図３】
2010130759.tif 000005
【図４】
2010130759.tif 000006
【図５】
2010130759.tif 000007